【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
ビル内に設置される複数の設備を複数のグループに分け、各グループに属する設備を管理する前記グループに１つずつのコントローラと、
所定の蓄電容量を有する蓄電装置と、
複数の前記コントローラを集中的に管理するビル管理装置と、
を備え、
前記コントローラは、
前記グループに属する設備の動作を制御する制御端子、
前記グループに属する設備の動作状態を監視する監視端子、
前記グループに属する設備に対する電力供給先を電力会社または前記蓄電装置に切替える電源切替端子、及び、
前記グループに属する設備の全体の消費電力であるコントローラの実消費電力データを出力する消費電力端子を有し、
前記ビル管理装置は、
予め定めた方法で算出された各コントローラのベースライン消費電力を配列したベースライン消費電力一覧表を記憶し、
前記電力会社から、電力Ｐ０の削減を電力削減開始時間からＨ０の期間で実行してほしい内容のデマンドレスポンス要請を受け取り、前記ベースライン消費電力一覧表からＰ０に対応するベースライン消費電力を有する第１コントローラを選択し、
所定の制御周期で、各コントローラの実消費電力を取得し、
前記第１コントローラの実消費電力がＰ０から乖離し、且つ、前記第１コントローラの実消費電力とＰ０との差である第１コントローラ乖離消費電力がデマンドレスポンス制御の制御許容範囲を超える場合には、前記第１コントローラに対し追加または置き換える別のコントローラを選択して複数の前記コントローラの組合せ体となし、
前記組合せ体の実消費電力とＰ０との差である組合せ体乖離消費電力が制御許容範囲内となる組合せ体を構成する複数のコントローラを制御対象コントローラに設定し、
設定された前記制御対象コントローラについて前記電力会社からの電力供給を停止し代わって前記蓄電装置から必要な電力を供給する、デマンドレスポンス制御システム。
【請求項２】
前記第１コントローラの実消費電力がＰ０未満に乖離している場合には、前記第１コントローラの乖離消費電力に対応する前記ベースライン消費電力を有する第２コントローラを選択して前記第１コントローラに追加し、前記第１コントローラと前記第２コントローラとで第１組合せ体となし、
前記第１組合せ体の実消費電力とＰ０との差である第１乖離消費電力が制御許容範囲内の場合に前記第１組合せ体を構成する前記第１コントローラと前記第２コントローラとを前記制御対象コントローラに設定し、
前記第１乖離消費電力が制御許容範囲を超える場合には、前記第２コントローラの実消費電力と前記第２コントローラのベースライン消費電力との差である第２コントローラ乖離消費電力に対応する前記ベースライン消費電力を有する第３コントローラを選択して追加し、前記第１コントローラと前記第２コントローラと前記第３コントローラとで第２組合せ体となし、
これを繰り返して、組合せ体乖離消費電力が制御許容範囲内となれば繰り返しを止める、請求項１に記載のデマンドレスポンス制御システム。
【請求項３】
前記第１コントローラの実消費電力がＰ０を超えて乖離している場合には、前記第１コントローラの前記ベースライン消費電力から前記第１コントローラの乖離消費電力を差し引いた消費電力に対応する前記ベースライン消費電力を有する第２コントローラと、前記第１コントローラの乖離消費電力に対応する前記ベースライン消費電力を有する第３コントローラとを前記第１コントローラに対し置き換えて、前記第２コントローラと前記第３コントローラとで第１組合せ体となし、
前記第１組合せ体の実消費電力とＰ０との差である第１乖離消費電力が制御許容範囲内の場合に前記第１組合せ体を構成する前記第２コントローラと前記第３コントローラとを制御対象コントローラに設定し、
前記第１乖離消費電力が制御許容範囲を超える場合には、前記第２コントローラの実消費電力と前記第２コントローラの前記ベースライン消費電力との差である第２コントローラの乖離消費電力を求め、前記第３コントローラの前記ベースライン消費電力から前記第２コントローラの乖離消費電力を差し引いた消費電力に対応するベースライン消費電力を有する第４コントローラを前記第３コントローラに対し置き換えて前記第２コントローラと前記第４コントローラとで第２組合せ体となし、
これを繰り返して、組合せ体乖離消費電力が制御許容範囲内となれば繰り返しを止める、請求項１に記載のデマンドレスポンス制御システム。
【請求項４】
前記ビル管理装置は、
複数の前記コントローラの前記消費電力端子から出力されるデータを全ての前記コントローラについて加算してビル全体の実消費電力であるビル消費電力を求め、
前記電力会社からの前記デマンドレスポンス要請を受け取る予定のない日において、予め定めたビル消費電力平準化レベルよりも前記ビル消費電力が多い場合には、前記ベースライン消費電力一覧表から前記ビル消費電力と前記ビル消費電力平準化レベルとの差であるビル乖離消費電力に対応する前記ベースライン消費電力を有する第１コントローラを選択し、
所定の制御周期で、各コントローラの実消費電力を取得し、
前記第１コントローラの実消費電力が前記第１コントローラの前記ベースライン消費電力から乖離し、且つ、前記第１コントローラの実消費電力と前記第１コントローラの前記ベースライン消費電力との差である第１コントローラ乖離消費電力がビル消費電力平準化制御の制御許容範囲を超える場合には、前記第１コントローラに対し追加または置き換える別の前記コントローラを選択して複数の前記コントローラの組合せ体となし、
前記組合せ体の実消費電力と前記ビル乖離消費電力との差である組合せ体乖離消費電力が制御許容範囲内となる前記組合せ体を構成する複数の前記コントローラを制御対象コントローラに設定し、
設定された前記制御対象コントローラについて前記電力会社からの電力供給を停止し代わって前記蓄電装置から必要な電力を供給し、前記ビル消費電力を前記ビル消費電力平準化レベルにする、請求項１に記載のデマンドレスポンス制御システム。
【請求項５】
複数のビルにおけるデマンドレスポンス制御システムであって、
複数の前記ビルにおけるデマンドレスポンス制御を統合的に管理するビル群管理装置を備え、
それぞれのビルは、
当該ビル内に設置される複数の設備を複数のグループに分け、各グループに属する設備を管理する前記グループに１つずつのコントローラと、
所定の蓄電容量を有する蓄電装置と、
複数の前記コントローラを集中的に管理するビル管理装置と、
を備え、
前記コントローラは、
前記グループに属する設備の動作を制御する制御端子、
前記グループに属する設備の動作状態を監視する監視端子、
前記グループに属する設備に対する電力供給先を電力会社または前記蓄電装置に切替える電源切替端子、及び、
前記グループに属する設備の全体の消費電力であるコントローラ実消費電力データを出力する消費電力端子を有し、
前記ビル群管理装置は、
前記電力会社から、電力Ｐ０の削減を電力削減開始時間からＨ０の期間で実行してほしい内容のデマンドレスポンス要請を受け取り、（電力Ｐ０×期間Ｈ０）が各ビルに備えられる１つの前記蓄電装置の容量を超える場合に、複数の前記ビルの内で予め定めた１つのメインビルの前記ビル管理装置に対し、
前記メインビルの各コントローラについて予め定めた方法で算出されたベースライン消費電力一覧表を記憶し、
前記ベースライン消費電力一覧表からＰ０に対応するベースライン消費電力を有する前記メインビルの第１コントローラを選択し、
所定の制御周期で、前記メインビルの各コントローラの実消費電力を取得し、
前記第１コントローラの実消費電力がＰ０から乖離し、且つ、前記第１コントローラの実消費電力とＰ０との差である第１コントローラ乖離消費電力がデマンドレスポンス制御の制御許容範囲を超える場合には、前記第１コントローラに対し追加または置き換える別の前記コントローラを選択して複数のコントローラの組合せ体となし、
前記組合せ体の実消費電力とＰ０との差である組合せ体乖離消費電力が制御許容範囲内となる組合せ体を構成する複数のコントローラを制御対象コントローラに設定し、
設定された前記制御対象コントローラについて前記電力会社からの電力供給を停止し代わって複数の前記ビルが備える複数の前記蓄電装置から必要な電力を供給することを実行させる、デマンドレスポンス制御システム。
【請求項６】
前記ビル群管理装置は、
前記ビル群の複数の前記コントローラのそれぞれについて予め定めた方法で算出されたベースライン消費電力のビル群用一覧表を記憶し、
各前記ビルについて、当該ビルの複数の前記コントローラの前記消費電力端子から出力されるデータを全ての前記コントローラについて加算して当該ビルの実消費電力を求め、さらに全ビルの実消費電力を加算してビル群全体の実消費電力であるビル群消費電力を求め、
前記電力会社からのデマンドレスポンス要請を受け取る予定のない日において、予め定めたビル群消費電力平準化レベルよりも前記ビル群消費電力が多い場合には、前記ベースライン消費電力のビル群用一覧表から前記ビル群消費電力と前記ビル群消費電力平準化レベルとの差であるビル群乖離消費電力に対応する前記ベースライン消費電力を有するビル群第１コントローラを選択し、
所定の制御周期で、各コントローラの実消費電力を取得し、
前記ビル群第１コントローラの実消費電力が前記ビル群第１コントローラの前記ベースライン消費電力から乖離し、且つ、前記ビル群第１コントローラの実消費電力と前記ビル群第１コントローラの前記ベースライン消費電力との差であるビル群第１コントローラ乖離消費電力がビル群消費電力平準化制御の制御許容範囲を超える場合には、前記ビル群第１コントローラに対し追加または置き換える別の前記コントローラを選択して複数のコントローラの組合せ体となし、
前記組合せ体の実消費電力と前記ビル群乖離消費電力との間の組合せ体乖離消費電力が制御許容範囲内となる前記組合せ体を構成する複数の前記コントローラを制御対象コントローラに設定し、
設定された前記制御対象コントローラについて前記電力会社からの電力供給を停止し代わって複数の前記ビルが備える複数の前記蓄電装置から必要な電力を供給し、前記ビル群消費電力を前記ビル群消費電力平準化レベルにする、請求項５に記載のデマンドレスポンス制御システム。
【請求項７】
複数のビルは、
日中の消費電力レベルが夜間の消費電力レベルよりも高い１以上の日中電力消費型ビルと、
前記夜間の消費電力レベルが前記日中の消費電力レベルよりも高い１以上の夜間電力消費型ビルとで構成されている、請求項６に記載のデマンドレスポンス制御システム。
【手続補正２】
【補正対象書類名】明細書
【補正対象項目名】０００２
【補正方法】変更
【補正の内容】
【０００２】
電力システムの改革が、電力の需要側と供給側の双方で進められている。デマンドレスポンス（Ｄｅｍａｎｄ  Ｒｅｓｐｏｎｓｅ：ＤＲ）は、電力卸市場価格の高騰時または電力系統信頼性の低下時において、電気料金価格の設定またはインセンティブの支払いに応じて、需要家側が電力の使用を抑制するように電力消費パターンを変化させることである。バーチャルパワープラント（Ｖｉｒｔｕａｌ  Ｐｏｗｅｒ  Ｐｌａｎｔ：ＶＰＰ）は、複数の小規模な自家発電設備、例えば、企業の自家発電設備、電気自動車の蓄電池等の電力の需要抑制を統合し、あたかも1つの発電所のように制御することで、仮想発電所とも呼ばれる。
【手続補正３】
【補正対象書類名】明細書
【補正対象項目名】０００４
【補正方法】削除
【補正の内容】
【手続補正４】
【補正対象書類名】明細書
【補正対象項目名】０００６
【補正方法】変更
【補正の内容】
【０００６】
特許文献２では、デマンドレスポンスによってユーザが所有する設備としての電気機器が制御されると、ユーザが電気機器を自由に使用できない時間が増え、ユーザの快適性が損なわれる場合があることを指摘する。そこで、デマンドレスポンス期間におけるユーザの生活パターンを推定し、その推定に基づいて複数のデマンドレスポンス制御の仕方の内の１つを割り当て、ユーザの快適性を損なわずにユーザの電気機器を制御するデマンドレスポンス制御方法が開示されている。
特許文献３は、老人ホームや高齢者マンションの居住施設と、病院の一日の電力推移を比較している。居住施設では午前の７時頃に１回目のピークがあり正午前後に減少し夕食後あたりに２回目のピークがあるが、病院では外来患者が午前中から午後にかけて増えて正午前後でピークになり、お互いの電力推移が相補型になっている。そこで、病院に１台の蓄電装置、複数の居住施設に合計４台の蓄電装置を設け、これらの充放電を統合的に制御することで、病院と複数の居住施設を合わせた一日の電力推移を平準化している。
【手続補正５】
【補正対象書類名】明細書
【補正対象項目名】００１２
【補正方法】変更
【補正の内容】
【００１２】
本開示に係るデマンドレスポンス制御システムは、ビル内に設置される複数の設備を複数のグループに分け、各グループに属する設備を管理するグループに１つずつのコントローラと、所定の蓄電容量を有する蓄電装置と、複数のコントローラを集中的に管理するビル管理装置と、を備え、コントローラは、グループに属する設備の動作を制御する制御端子、グループに属する設備の動作状態を監視する監視端子、グループに属する設備に対する電力供給先を電力会社または蓄電装置に切替える電源切替端子、及び、グループに属する設備の全体の消費電力であるコントローラの実消費電力データを出力する消費電力端子を有し、ビル管理装置は、予め定めた方法で算出された各コントローラのベースライン消費電力を配列したベースライン消費電力一覧表を記憶し、電力会社から、電力Ｐ０の削減を電力削減開始時間からＨ０の期間で実行してほしい内容のデマンドレスポンス要請を受け取り、ベースライン消費電力一覧表からＰ０に対応するベースライン消費電力を有する第１コントローラを選択し、所定の制御周期で、各コントローラの実消費電力を取得し、第１コントローラの実消費電力がＰ０から乖離し、且つ、第１コントローラの実消費電力とＰ０との差である第１コントローラ乖離消費電力がデマンドレスポンス制御の制御許容範囲を超える場合には、第１コントローラに対し追加または置き換える別のコントローラを選択して複数のコントローラの組合せ体となし、組合せ体の実消費電力とＰ０との差である組合せ体乖離消費電力が制御許容範囲内となる組合せ体を構成する複数のコントローラを制御対象コントローラに設定し、設定された制御対象コントローラについて電力会社からの電力供給を停止し代わって蓄電装置から必要な電力を供給する。
【手続補正６】
【補正対象書類名】明細書
【補正対象項目名】００１４
【補正方法】変更
【補正の内容】
【００１４】
本開示に係るデマンドレスポンス制御システムにおいて、第１コントローラの実消費電力がＰ０未満に乖離している場合には、第１コントローラの乖離消費電力に対応するベースライン消費電力を有する第２コントローラを選択して第１コントローラに追加し、第１コントローラと第２コントローラとで第１組合せ体となし、第１組合せ体の実消費電力とＰ０との差である第１乖離消費電力が制御許容範囲内の場合に第１組合せ体を構成する第１コントローラと第２コントローラとを制御対象コントローラに設定し、第１乖離消費電力が制御許容範囲を超える場合には、第２コントローラの実消費電力と第２コントローラのベースライン消費電力との差である第２コントローラ乖離消費電力に対応するベースライン消費電力を有する第３コントローラを選択して追加し、第１コントローラと第２コントローラと第３コントローラとで第２組合せ体となし、これを繰り返して、組合せ体乖離消費電力が制御許容範囲内となれば繰り返しを止めることが好ましい。
【手続補正７】
【補正対象書類名】明細書
【補正対象項目名】００１７
【補正方法】変更
【補正の内容】
【００１７】
上記構成によれば、第１コントローラの実消費電力がＰ０を超えて乖離している場合には、第１コントローラに別のコントローラを追加するとさらにＰ０を超えて乖離する。そこで、第１コントローラのベースライン消費電力よりも少ないベースライン消費電力を有する第２コントローラと第３コントローラとを一組とする第１組合せ体に置き換える。第２コントローラは、第１コントローラのベースライン消費電力から第１コントローラの乖離消費電力を差し引いた消費電力に対応するベースライン消費電力を有する。第３コントーラは、第１コントローラの乖離消費電力に対応するベースライン消費電力を有する。コントローラの乖離消費電流はそのコントローラのベースライン消費電力の５０％を超えないと考えると、（第１コントローラのベースライン消費電力）＞（第２コントローラのベースライン消費電力）＞（第３コントローラのベースライン消費電力）である。
【手続補正８】
【補正対象書類名】明細書
【補正対象項目名】００１８
【補正方法】変更
【補正の内容】
【００１８】
第２コントローラと第３コントローラのいずれにも乖離消費電力が生じなければ、（第１組合せ体の実消費電力）＝（第２コントローラの実消費電力＋第３コントローラの実消費電力）＝Ｐ０となる。第２コントローラと第３コントローラに乖離消費電力が生じる場合は、ベースライン消費電力が多い方の第２コントローラと、第３コントローラよりもベースライン消費電力が少ない第４コントローラとを一組とする第２組合せ体に置き換える。第４コントローラは、第３コントローラのベースライン消費電力から第２コントローラの乖離消費電力を差し引いた消費電力に対応するベースラインを有する。したがって、第３コントローラに乖離消費電力が生じなければ、（第２組合せ体の実消費電力）＝（第２コントローラの実消費電力＋第４コントローラの実消費電力）＝Ｐ０となる。第４コントローラに乖離消費電力が生じる場合は、上記の処理を同様に繰り返す。このように、第１コントローラの実消費電力がＰ０を超えて乖離しても、第１コントローラを別の組合せ体に置き換え、組合せ体の実消費電力とＰ０との差が制御許容範囲内となれば繰り返しを止めることで、電力Ｐ０の削減を正確に実行できる。
【手続補正９】
【補正対象書類名】明細書
【補正対象項目名】００３１
【補正方法】変更
【補正の内容】
【００３１】
【図１】実施の形態に係るデマンドレスポンス制御システムの構成図である。
【図２】図１におけるビル管理装置と記憶装置の構成図である。
【図３】図１のコントローラの構成図である。
【図４】図３のＰＬＣ構成図の例を示す図である。
【図５】図１におけるビル管理装置が行う作用の内で、電力会社からの電力供給の抑制に関する２つの作用の切替手順を示すフローチャートである。
【図６】実施の形態に係るデマンドレスポンス制御システムにおいて、電力会社からデマンドレスポンス要請を受けた場合のビルの消費電力推移線を示す図である。
【図７】実施の形態に係るデマンドレスポンス制御システムにおいて、電力会社から、デマンドレスポンス要請を受けた場合のデマンドレスポンス制御の全体手順を示すフローチャートである。
【図８】図７で用いるベースライン消費電力一覧表の一例である。
【図９】図７の手順の内で、別のコントローラの追加または置き換えに関する手順を示すフローチャートである。
【図１０】図９における別のコントローラを追加する追加制御の手順を示すフローチャートである。
【図１１】図９における別のコントローラに置き換える置き換え制御の手順を示すフローチャートである。
【図１２】図１０で示す手順の具体例を示す図である。
【図１３】図１１で示す手順の具体例を示す図である。
【図１４】実施の形態に係るデマンドレスポンス制御システムにおいて、電力会社からデマンドレスポンス要請の予定のない日についてビルの消費電力平準化制御を行う場合のビルの消費電力推移線を示す図である。
【図１５】実施の形態に係るデマンドレスポンス制御システムにおいて、ビルの消費電力平準化制御の手順を示すフローチャートである。
【図１６】実施の形態において、複数のビルをまとめた１つのビル群についてのデマンドレスポンス制御システムの構成図である。
【図１７】図６に対応する図で、電力会社からデマンドレスポンス要請を受けた場合のビル群の消費電力推移線を示す図である。
【図１８】図１４に対応する図で、電力会社からデマンドレスポンス要請の予定のない日についてビル群の消費電力平準化制御を行う場合のビル群の消費電力推移線を示す図である。
【図１９】図１８の一例として、日中電力消費型ビルと夜間電力消費型ビルとで構成されるビル群の場合のビル群の消費電力推移線を示す図である。
【手続補正１０】
【補正対象書類名】明細書
【補正対象項目名】００３８
【補正方法】変更
【補正の内容】
【００３８】
マスタ制御盤１８にはマスタコントローラ２２が配置され、各階用の制御盤２０には、各階の消費電力に応じた複数のコントローラ２４が配置される。図１では、マスタコントローラ２２とそれ以外のコントローラ２４とを区別して、ＣＮＴ番号を示す。マスタ制御盤１８には、１台のマスタコントローラＣＮＴ００が配置される。消費電力の多いＢＦ階制御盤２０ａには、ＣＮＴ１１，ＣＮＴ１２，ＣＮＴ１３の３台のコントローラ２４が配置される。オフィス階の１階制御盤２０ｂ、２階制御盤２０ｃ、３階制御盤２０ｄには、それぞれ２台のコントローラ２４が配置される。１階制御盤２０ｂには、ＣＮＴ２１，ＣＮＴ２２の２台が配置され、２階制御盤２０ｃには、ＣＮＴ３１，ＣＮＴ３２の２台が配置され、３階制御盤２０ｄには、ＣＮＴ４１，ＣＮＴ４２の２台が配置される。消費電力の多い社員食堂のある４階制御盤２０ｅには、ＣＮＴ５１，ＣＮＴ５２，ＣＮＴ５３の３台のコントローラ２４が配置される。
【手続補正１１】
【補正対象書類名】明細書
【補正対象項目名】００６３
【補正方法】変更
【補正の内容】
【００６３】
スロット番号６に配置される制御基板は、信号種別が「ＢＯ：電源切替」である制御を行う制御基板である。ＢＯ＝１は、電源切替部６２において、コントローラ２４が管轄する全部の設備１４に対する電源供給元を、電力会社８からの電力とする制御信号である。ＢＯ＝０は、電源切替部６２において、コントローラ２４が管轄する全部の設備１４に対する電源供給元を、蓄電装置３４からＡＣ／ＤＣ電力変換装置３２を経由した交流電力とする制御信号である。制御信号ＢＯは、スロット番号６に配置される制御基板の電源切替端子から引き出される信号線によって電源切替部６２に伝送される。
【手続補正１２】
【補正対象書類名】明細書
【補正対象項目名】００６５
【補正方法】変更
【補正の内容】
【００６５】
電源切替部６２は、コントローラ２４が管轄する設備１４に対する電源供給元を切り替える電力スイッチ盤である。電源切替部６２における電源供給先の切替は、ＰＬＣ６０におけるスロット番号６に配置される電源切替制御基板からの切替信号によって行われる。切替信号がＢＯ＝１の場合は、電力供給線４２は、電力会社８からの電力が供給される電力供給線３０に接続され、設備１４に対する電源供給元は、電力会社８となる。切替信号がＢＯ＝０の場合は、電力供給線４２は、蓄電装置３４からＡＣ／ＤＣ電力変換装置３２を経由した交流電力が供給される電力供給線３６に接続され、設備１４に対する電源供給元は、蓄電装置３４となる。ＢＯ＝０においては、電力供給線４２は、電力供給線３０から遮断されるので、電力会社８からの電力供給に代えて、蓄電装置３４からの電力供給に切り替わることになる。
【手続補正１３】
【補正対象書類名】明細書
【補正対象項目名】００７９
【補正方法】変更
【補正の内容】
【００７９】
Ｓ２８の処理を行う時間が、システム１０における最初の一制御周期の開始時間である。デマンドレスポンス制御開始時間であるＳ２２からＳ２８までの時間は、Ｓ２４とＳ２６の処理を行う制御初期設定期間である。
【手続補正１４】
【補正対象書類名】明細書
【補正対象項目名】００８２
【補正方法】変更
【補正の内容】
【００８２】
そして、ΔＰ１≠０か否かが判定される（Ｓ３２）。Ｓ３２の判定が否定される場合は、ΔＰ１＝０であり、Ｐ０の電力削減が実現されているので、第１コントローラが制御対象コントローラとして設定される（Ｓ４０）。制御対象コントローラとは、電力会社８からの電力供給が停止され、代わって蓄電装置３４から必要な電力が供給される制御を受けるコントローラ２４である。制御対象コントローラにおいては、ビル管理装置１６からの制御によって、ＰＬＣ６０から電源切替信号としてＢＯ＝０が電源切替部６２に出力され、設定された制御コントローラに属する各設備１４の電源供給元が電力会社８から蓄電装置３４に切り替えられる。
【手続補正１５】
【補正対象書類名】明細書
【補正対象項目名】００８３
【補正方法】変更
【補正の内容】
【００８３】
Ｓ３２が肯定されると、次に、ΔＰ１がデマンドレスポンス制御における制御許容範囲内か否かが判定される（Ｓ３４）。電力会社８からの要請は、削減電力Ｐ０に対し期間Ｈ０に亘って（±ΔＰ０）の許容範囲であるが、期間Ｈ０の間においても、期間Ｈ０を複数に分けた一制御周期Ｔの間においても、各コントローラ２４の実消費電力ＡＰは変動する。この変動を考慮して、デマンドレスポンス制御における制御許容範囲は、（±ΔＰ０）よりも小さく設定することが好ましい。一例を挙げると、（±ΔＰ０）の半分の｛±（１／２）ΔＰ０｝をデマンドレスポンス制御における制御許容範囲（±Δｓ）とする。したがって、Ｓ３４の判定は、｛−Δｓ≦（ＡＰ１−Ｐ０）≦＋Δｓ｝か否かである。Ｓ３４の判定が肯定される場合は、ΔＰ１≠０であるが、制御許容範囲内であるので、ビル消費電力ＫＰに対し（Ｐ０±ΔＰ０）が実現されており、第１コントローラが制御対象コントローラとして設定される（Ｓ４０）。
【手続補正１６】
【補正対象書類名】明細書
【補正対象項目名】００８４
【補正方法】変更
【補正の内容】
【００８４】
Ｓ３４が否定される場合は、第１コントローラの実消費電力ＡＰ１がＰ０から乖離し、且つ、第１コントローラの乖離消費電力ΔＰ１がデマンドレスポンス要請の制御許容範囲である（±Δｓ）を超える場合である。この場合は、第１コントローラでは、（Ｐ０±ΔＰ０）が実現されないので、第１コントローラに対し、追加または置き換える別のコントローラ２４を選択する（Ｓ３６）。
【手続補正１７】
【補正対象書類名】明細書
【補正対象項目名】００８９
【補正方法】変更
【補正の内容】
【００８９】
上記のＳ３６及びＳ３８における別のコントローラ２４の追加または置き換えの内容について、図９から図１１を用いて説明する。図９は、追加または置き換えを区別する手順を示すフローチャートである。、図７においてＳ３４が否定されると、第１コントローラの乖離消費電力ΔＰ１＝（ＡＰ１−ＢＰ１）＝（ＡＰ１−Ｐ０）が負の値であるか否かが判定される（Ｓ４６）。Ｓ４６の判定が肯定される場合は、ＡＰ１＜Ｐ０であり、第１コントローラのみではＰ０に不足するので、第１コントローラに対し別のコントローラ２４を追加する追加制御を行う（Ｓ４８）。Ｓ４６の判定が否定される場合は、Ｐ１＞Ｐ０であり、第１コントローラではＰ０を超えてしまうので、第１コントローラのベースライン消費電力ＢＰ１よりも少ないベースライン消費電力を有する別のコントローラ２４に置き換える置き換え制御を行う（Ｓ５０）。追加制御の場合は、１つの別のコントローラ２４を追加することで足りるが、置き換え制御の場合は１つの別のコントローラ２４ではベースライン消費電力ＢＰがＰ０に満たないので、２つの別のコントローラ２４の組合せ体に置き換える。
【手続補正１８】
【補正対象書類名】明細書
【補正対象項目名】００９２
【補正方法】変更
【補正の内容】
【００９２】
Ｓ７２が否定される場合は、上記のＳ６２〜Ｓ７２に対応する処理を繰り返す（Ｓ７４）。そして、追加制御の組合せ体において、［−Δｓ≦（組合せ体の実消費電力）−Ｐ０≦＋ΔＳ］となれば、それ以降の処理を止める。これは図７のＳ３８の判定が肯定されたことに相当するので追加制御が終了し、図７に戻り、Ｓ４０に進む。
【手続補正１９】
【補正対象書類名】明細書
【補正対象項目名】００９４
【補正方法】変更
【補正の内容】
【００９４】
Ｓ８４が否定されると、第２コントローラの乖離消費電力ΔＰ２を求める。ΔＰ２＝（ＡＰ２−ＢＰ２）＝｛ＡＰ２−（ＢＰ１−ΔＰ１）｝である。そこで、Ｓ４６と同様に、ΔＰ２が負の値であるか否かが判定される（Ｓ８６）。判定が肯定されると、Ｓ４８の追加制御に移り、第２コントローラに別のコントローラが追加処理される。判定が否定されると、第３コントローラのベースライン消費電力ＢＰ３から第２コントローラの乖離消費電力ΔＰ２を差し引いた消費電力（ＢＰ３−ΔＰ２）に対応するベースライン消費電力ＢＰ４を有する第４コントローラを選択する。そして第４コントローラを第３コントローラに置き換え（Ｓ８８）、（第２コントローラ＋第４コントローラ）の組合せ体とする（Ｓ９０）。この組合せ体を置き換え制御における第２組合せ体と呼ぶ。そして、第４コントローラの実消費電力ＡＰ４を参照する（Ｓ９２）。第２組合せ体の実消費電力は、（ＡＰ２＋ＡＰ４）である（Ｓ９４）であることが分かる。そこで、｛（第２組合せ体の実消費電力）−Ｐ０｝が制御許容範囲内か否かが判定される。すなわち［−Δｓ≦（ＡＰ２＋ＡＰ４）−Ｐ０≦＋ΔＳ］か否かが判定される（Ｓ９６）。判定が肯定であれば、それ以降の処理を止める。これは図７のＳ３８の判定が肯定されたことに相当するので置き換え制御が終了し、図７に戻り、Ｓ４０に進む。
【手続補正２０】
【補正対象書類名】明細書
【補正対象項目名】０１１３
【補正方法】変更
【補正の内容】
【０１１３】
図１３では、さらに、Ｓ３０における第１コントローラの実消費電力の参照の結果、第１コントローラの実消費電力ＡＰ１が（Ｐ０±Δｓ）を外れる場合について示す。図１３は、置き換え制御の場合であるので、第１コントローラの｛（乖離消費電力ΔＰ１）＝（ＡＰ１−Ｐ０）｝が正の値で、制御許容範囲である（＋０．７５ｋｗ）を超えて多い場合が示される。ここでは、乖離消費電力ΔＰ１として、第１コントローラのベースライン消費電力ＢＰ１＝Ｐ０の（＋３３．３％）の場合が示される。この場合、第１コントローラの実消費電力ＡＰ１は、（ＢＰ１＝ＰＯ＝３０ｋｗ）×（１００％＋３３．３％）＝４０ｋｗであり、第１コントローラの乖離消費電力ΔＰ１は、（ＡＰ１−Ｐ０）＝（＋１０ｋｗ）である。すなわち、ビル消費電力ＫＰに対する削減電力がＰ０よりも１０ｋｗ多い。図１３では、ｔ＝０において、この削減過剰電力である（ΔＰ１＝＋１０ｋｗ）を斜線で示す。この削減過剰電力（ΔＰ１＝＋１０ｋｗ）は、制御許容範囲である｛±（１／２）ｓ｝＝（±０．７５ｋｗ）を超えているので、同じサブ制御周期の中で、さらにＳ７６に進む。Ｓ７６においては、第１コントローラのベースライン消費電力ＢＰ１よりも少ないベースライン消費電力ＢＰを有する２つのコントローラを一組として、第１コントローラに対し置き換える（Ｓ７６）。２つのコントローラの内の１つは、第１コントローラのベースライン消費電力ＢＰ１から第１コントローラの乖離消費電力ΔＰ１を差し引いた消費電力（ＢＰ１−ΔＰ１）に対応するベースライン消費電力ＢＰ２を有する第２コントローラである。もう１つは、第１コントローラの乖離消費電力ΔＰ１に対応するベースライン消費電力ＢＰ３を有する第３コントローラである。第２コントローラと第３コントローラを一組として第１組合せ体とする（Ｓ７８）。ここまでが、最初のサブ制御周期において行われる処理である。
【手続補正２１】
【補正対象書類名】明細書
【補正対象項目名】０１２０
【補正方法】変更
【補正の内容】
【０１２０】
図１４は、春や秋において、ビル１２の消費電力もあまり多くなく、電力会社８からデマンドレスポンス要請の予定がない日におけるビル１２の実消費電力推移線７８を示す図である。参考として、一点鎖線で、図４における実消費電力推移線７０も示す。ビル管理装置１６は、消費電力平準化レベル８０を予め定め、消費電力平準化レベル８０を実消費電力推移線７８が超える部分について、電力会社８から供給される電力を削減する消費電力平準化制御を行う。図１４において、斜線を付した領域８２の面積は、消費電力平準化制御によって削減された電力量（ｋｗｈ）である。この場合もユーザの利便性を低下させないように、消費電力平準化制御を受ける設備１４に対して、削減した電力量と同じ大きさの電力量を蓄電装置３４から供給する。二点鎖線で囲み斜線を付した領域８４は、消費電力平準化制御を行って削減された電力量（ｋＷｈ）と同じ大きさで蓄電装置３４が放電した電力量である。
【手続補正２２】
【補正対象書類名】明細書
【補正対象項目名】０１３０
【補正方法】変更
【補正の内容】
【０１３０】
図１５のＳ１３４において、ある制御期間について制御対象コントローラの電源切替が行われると、次にＳ１３６に進み、消費電力平準化制御終了時間か否かが判定される。消費電力平準化制御終了時間とは、例えば、１時間おきに制御時間が設定されたとして、一日の午前０時から消費電力平準化制御が開始した場合には、午後１１時である。すなわち、一日に亘って、全ての処理が終了した時間が、消費電力平準化制御終了時間である。Ｓ１３６の判定が否定されると、Ｓ１２０に戻り、次の制御時間において、各コントローラ２４の実消費電力ＡＰが取得され、上記の処理が繰り返される。Ｓ１３６の判定が肯定されると、消費電力平準化制御が終了する。
【手続補正２３】
【補正対象書類名】図面
【補正対象項目名】図２
【補正方法】変更
【補正の内容】
【図２】
2020054069.tif 000001
【手続補正２４】
【補正対象書類名】図面
【補正対象項目名】図９
【補正方法】変更
【補正の内容】
【図９】
2020054069.tif 000002
【手続補正２５】
【補正対象書類名】図面
【補正対象項目名】図１３
【補正方法】変更
【補正の内容】
【図１３】
2020054069.tif 000003